(57)【要約】      （修正有）【課題】作業体勢を楽にでき、作業効率も向上でき、ケーブル端末の品質低下を抑制できるケーブル端末保護構造を提供する。【解決手段】ケーブル端末保護構造は、エルボ型部材１１と、封止材１２と、キャップ部材１３とで構成される。エルボ型部材１１は、ケーブル１０の終端部が挿入される第１開口部１１ａと、この第１開口部１１ａに対して所定の角度を持って対向する第２開口部１１ｂとを有する。封止材１２は、エルボ型部材１１の第２開口部１１ｂからエルボ型部材内に注入される。キャップ部材１３は、第２開口部１１ｂに装着され、封止材１２が充填されたエルボ型部材１１内部を封止する。【選択図】図２
0003232326.tif 000002
【実用新案登録請求の範囲】
【請求項１】
ケーブルの終端部が挿入される第１開口部と、この第１開口部に対して所定の角度を持って対向する第２開口部とを有するエルボ型部材と、
前記エルボ型部材の第２開口部から前記エルボ型部材内に注入された封止材と、
前記第２開口部に装着され、前記封止材が充填された前記エルボ型部材を封止するキャップ部材と
を具備することを特徴とするケーブル端末保護構造。
【請求項２】
前記第１開口部と前記ケーブルとの接合部に巻回される水密テープを更に具備する、ことを特徴とする請求項１に記載のケーブル端末保護構造。
【請求項３】
前記エルボ型部材が、エルボ型の硬質ポリ塩化ビニル管である、ことを特徴とする請求項１又は２に記載のケーブル端末保護構造。
【請求項４】
前記キャップ部材が、硬質ポリ塩化ビニル管用端末キャップである、ことを特徴とする請求項１乃至３いずれか１項に記載のケーブル端末保護構造。
【請求項５】
前記硬質ポリ塩化ビニル管用端末キャップが、キャップ水閘、ネジ付水閘又はクサリ式水閘である、ことを特徴とする請求項４に記載のケーブル端末保護構造。
【請求項６】
前記封止材が、常温硬化型のゴム系材料である、ことを特徴とする請求項１乃至５いずれか１項に記載のケーブル端末保護構造。
【考案の詳細な説明】
【技術分野】
【０００１】
本考案は、屋外用ケーブル端末の処理に用いられる、ケーブル端末保護構造に関するものである。
【背景技術】
【０００２】
地中送電のための作業では、例えば、北国の冬場などで数ヶ月の長期に渡ってケーブルを屋外に放置せざるを得ない場合がある。このような際には、ケーブルの端末からの浸水を防ぐための処理を施す必要がある。
【０００３】
一般的には、屋外用ケーブル端末の浸水対策に、例えば、図５に示すように、ケーブル１の端末に熱収縮端末キャップ２などを取り付けている。
【０００４】
また、例えば、特許文献１に記載されているように、ケーブルの端末を可撓性の合成樹脂からなる有底筒状体に挿入し、塑性変形可能な金属製のリング状体を装着してプレス変形させている。
【先行技術文献】
【特許文献】
【０００５】
【特許文献１】実開平０６−０７４０３５号公報
【考案の概要】
【考案が解決しようとする課題】
【０００６】
ところで、長期間ケーブルを屋外に放置する場合には、更に厳重な浸水対策が必要であり、熱収縮端末キャップ２を装着したケーブル１端末を、図６に示すように、硬質ポリ塩化ビニル管（塩ビ管）３に挿入し、この塩ビ管３内に常温硬化型のゴム系材料、例えば、常温コンパウンド４を注入して封止している。
【０００７】
しかしながら、この方式は、まっすぐな塩ビ管３に常温コンパウンド４を注入した後、ケーブル１を曲げ、ケーブル１端末を常温コンパウンド４の入った塩ビ管３に挿入する。
【０００８】
その後、塩ビ管３の上端とケーブル１との接合部に水密テープ５などのテープ類を巻回して固定する。
【０００９】
そして、ケーブル１の曲がりを直して水平にし、図７に示すような断面構造にするという一連の作業が必要になる。
【００１０】
このため、狭隘箇所などのように作業環境が限られる実現場においては、作業が難しくなる。また、ケーブル１は長尺であり、剛性が高く曲げ難く、塩ビ管３は横向きに取り付けることになるので、常温コンパウンド４を塩ビ管３内に十分に注入できない可能性もある。このため、ケーブル１と塩ビ管３の間に隙間が空くと水分の侵入阻止効果が低下する、という課題がある。
【００１１】
そこで、本考案は如上のような従来存した諸事情に鑑み創出されたもので、作業体勢を楽にでき、作業効率も向上でき、ケーブル端末の品質低下を抑制できるケーブル端末保護構造を提供することを目的とする。
【課題を解決するための手段】
【００１２】
本考案に係るケーブル端末保護構造は、ケーブルの終端部が挿入される第１開口部と、この第１開口部に対して所定の角度を持って対向する第２開口部とを有するエルボ型部材と、前記エルボ型部材の第２開口部から前記エルボ型部材内に注入された封止材と、前記第２開口部に装着され、前記封止材が充填された前記エルボ型部材を封止するキャップ部材とを具備することで、上述した課題を解決した。
【００１３】
このような構成によれば、ケーブルの終端部が挿入される第１開口部に対して所定の角度を持って対向する第２開口部から封止材を注入し、この第２開口部にキャップ部材を装着してエルボ型部材内部を封止できるので、ケーブルを曲げた状態での封止材の注入作業、ケーブルを曲げる作業、曲げたケーブルをまっすぐに戻す作業などが不要になるので、狭隘な作業環境であっても作業効率を向上できる。また、ケーブルを水平に保持した状態で第２開口部から封止材を注入するので、作業体勢を楽にできるだけでなく、横向きでも十分な注入が可能になり、封止材をエルボ型部材内部に完全に充填できる。
【００１４】
更に、本考案に係るケーブル端末保護構造は、前記第１開口部と前記ケーブルとの接合部に巻回される水密テープを更に具備することで、同じく、上述した課題を解決した。
【００１５】
このような構成によれば、ケーブルとエルボ型部材の第１開口部との隙間から水分が侵入するのを防止できる。
【００１６】
また、本考案に係るケーブル端末保護構造は、エルボ型部材が、エルボ型の硬質ポリ塩化ビニル管であることで、同じく、上述した課題を解決した。
【００１７】
このような構成によれば、入手しやすい市販のエルボ型の硬質ポリ塩化ビニル管を用いることができ、コストも低減できる。
【００１８】
加えて、本考案に係るケーブル端末保護構造は、キャップ部材が、硬質ポリ塩化ビニル管用端末キャップであることで、同じく、上述した課題を解決した。
【００１９】
このような構成によれば、入手しやすい市販の硬質ポリ塩化ビニル管用端末キャップを用いることができ、コストを低減できる。
【００２０】
また、本考案に係るケーブル端末保護構造は、硬質ポリ塩化ビニル管用端末キャップが、キャップ水閘、ネジ付水閘又はクサリ式水閘であることで、同じく、上述した課題を解決した。
【００２１】
このような構成によれば、封止材の注入後直ぐに蓋ができ、入手しやすい市販のキャップ水閘、ネジ付水閘又はクサリ式水閘を用いることでコストも低減できる。
【００２２】
この他、本考案に係るケーブル端末保護構造は、封止材が、常温硬化型のゴム系材料であることで、同じく、上述した課題を解決した。
【００２３】
このような構成によれば、常温硬化型のゴム系材料を用いるので、常温で容易に硬化させてエルボ型部材内を封止できる。
【考案の効果】
【００２４】
本考案に係るケーブル端末保護構造によれば、作業体勢を楽にでき、作業効率も向上でき、ケーブル端末の品質低下を抑制できるケーブル端末保護構造を提供できる。
【図面の簡単な説明】
【００２５】
【図１】本考案の実施形態に係るケーブル端末保護構造の側面図である。
【図２】図１の断面図である。
【図３】図１及び図２に示したケーブル端末保護構造を用いたケーブル端末の保護方法について説明するための断面図である。
【図４】本考案の他の実施形態に係るケーブル端末保護構造の断面図である。
【図５】従来のケーブル端末保護構造の断面図である。
【図６】従来の他のケーブル端末保護構造について説明するためのもので、常温コンパウンドを注入した塩ビ管内にケーブルを挿入する工程を示す斜視図である。
【図７】図６に示した方法で形成したケーブル端末保護構造の断面図である。
【考案を実施するための形態】
【００２６】
以下に、図面を参照して、本考案の一実施の形態について説明する。
【００２７】
図１は、本考案の実施形態に係るケーブル端末保護構造の側面図である。図２は図１の断面図である。
【００２８】
このケーブル端末保護構造は、エルボ型部材１１と、封止材１２と、キャップ部材１３とで構成される。
【００２９】
エルボ型部材１１は、熱収縮端末キャップ１５が装着されたケーブル１０の終端部が挿入される第１開口部１１ａと、この第１開口部１１ａに対して所定の角度を持って対向する第２開口部１１ｂとを有する。
【００３０】
封止材１２は、エルボ型部材１１の第２開口部１１ｂからエルボ型部材１１内に注入される。また、キャップ部材１３は、第２開口部１１ｂに装着され、封止材１２が充填されたエルボ型部材１１を封止している。
【００３１】
エルボ型部材１１として、例えば、エルボ型の硬質ポリ塩化ビニル管が用いられ、キャップ部材１３として、硬質ポリ塩化ビニル管用端末キャップが用いられている。硬質ポリ塩化ビニル管用端末キャップとしては、キャップ水閘、ネジ付水閘、クサリ式水閘などを用いることができ、図１及び図２ではネジ付のクサリ式水閘を用いている。
【００３２】
そして、エルボ型部材１１の第１開口部１１ａと、ケーブル１との接合部に水密テープ１４が巻回されている。
【００３３】
図３は、図１及び図２に示したケーブル端末保護構造を用いたケーブル端末の保護方法について説明するためのものである。
【００３４】
図３（Ａ）は、エルボ型部材１１の第１開口部１１ａに、熱収縮端末キャップ１５が装着されたケーブル１０の終端部を挿入し、第１開口部１１ａとケーブル１との接合部に水密テープ１４を巻回した状態を示している。また、図３（Ｂ）は、エルボ型部材１１内に封止材１２としての常温コンパウンドを注入している状態を示している。
【００３５】
まず、図３（Ａ）に示すように、キャップ部材１３の水閘を開け、エルボ型部材１１の第１開口部１１ａに、熱収縮端末キャップ１５を取り付けたケーブル１０の端末を挿入する。この状態で、第１開口部１１ａとケーブル１０との接合部に水密テープ１４を巻回して接合部の隙間を被覆して気密する。
【００３６】
次に、図３（Ｂ）に示すように、封止材１２として働く常温コンパウンドの入った容器１６から、エルボ型部材１１の第２開口部１１ｂに常温コンパウンドを注入する。そして、エルボ型部材１１内を常温コンパウンドで満たし、水閘をねじ込んで完成する。
【００３７】
このような構成によれば、ケーブル１０の終端部が挿入されるエルボ型部材１１の第１開口部１１ａに対して所定の角度を持って対向する第２開口部１１ｂから封止材１２を注入し、この第２開口部１１ｂにキャップ部材１３を装着してエルボ型部材１１内部を封止できるので、ケーブル１０を曲げる作業、ケーブル１０を曲げた状態での封止材１２の注入作業、曲げたケーブル１０をまっすぐに戻す作業などが不要になり、狭隘な作業環境であっても作業効率を向上できる。
【００３８】
また、ケーブル１０を水平に保持した状態で第２開口部１１ｂから封止材１２を注入するので、作業体勢を楽にできるだけでなく、封止材１２をエルボ型部材１１の内部に完全に充填できる。
【００３９】
図４は、本考案の他の実施形態に係るケーブル端末保護構造の断面図である。
【００４０】
この構造は、長期間ケーブルを屋外に放置する場合に好適なものである。ケーブル１０の端末には、熱収縮端末キャップ１５が取り付けられている。また、エルボ型部材１１の第１開口部１１ａ近傍の内壁とケーブル１の外周部との間に防水テープ座巻１７が介在されている。
【００４１】
更に、エルボ型部材１１の第１開口部１１ａとケーブル１０との接合部におけるエルボ型部材１１の外周とケーブル１０の外周に水密テープ１８が巻回されている。
【００４２】
この水密テープ１８には、自己融着テープ１９が更に巻回され、自己融着テープ１９の端部には水密テープ２０ａ，２０ｂが巻回されている。そして、自己融着テープ１９上からケーブル１０の外周上及びエルボ型部材１１の外周上にわたって防水テープ２１が巻回されている。
【００４３】
このような構成によれば、エルボ型部材１１の内壁とケーブル１０の外周との間、及びエルボ型部材１１の第１開口部１１ａとケーブル１０との接合部に、防水テープ座巻１７、水密テープ１８，２０ａ，２０ｂ、自己融着テープ１９及び防水テープ２１を巻回することで、長期間にわたって効果的に水分の侵入を阻止できる。これによって、ケーブル端末の品質低下を効果的に抑制できる。
【００４４】
しかも、種々のテープを巻く作業の際にも上述した実施形態と同様に、作業体勢を楽にでき、作業効率を向上できる。
【００４５】
尚、本考案は上述した実施形態に限定されるものではなく、要旨を逸脱しない範囲で種々変形して実施することが可能である。
【００４６】
例えば、エルボ型部材の第１開口部とケーブルとの接合部の構成は、上述した実施形態や他の実施形態に限られるものではない。
【００４７】
また、エルボ型部材が、硬質ポリ塩化ビニル管の場合を例に取って説明したが、第１開口部に対して所定の角度を持って対向する第２開口部を有するエルボ型部材であれば、他の材料で構成されていても構わない。
【００４８】
更に、キャップ部材が、硬質ポリ塩化ビニル管用端末キャップの場合を例に取って説明したが、他の材料でも構わない。
【００４９】
加えて、封止材が常温コンパウンドの場合について説明したが、水分の侵入を阻止できれば他の材料でも良い。
【産業上の利用可能性】
【００５０】
本考案は、例えば、地中送電のための作業に用いられる屋外用ケーブルの端末の浸水対策に適用することができ産業上有用である。
【符号の説明】
【００５１】
１…ケーブル
２…熱収縮端末キャップ
３…塩ビ管
４…常温コンパウンド
５…水密テープ
１０…ケーブル
１１…エルボ型部材
１１ａ…第１開口部
１１ｂ…第２開口部
１２…封止材（常温コンパウンド）
１３…キャップ部材（硬質ポリ塩化ビニル管用端末キャップ）
１４…水密テープ
１５…熱収縮端末キャップ
１６…常温コンパウンドの入った容器
１７…防水テープ座巻
１８…水密テープ
１９…自己融着テープ
２０ａ…水密テープ
２０ｂ…水密テープ
２１…防水テープ
【図１】
0003232326.tif 000003
【図２】
0003232326.tif 000004
【図３】
0003232326.tif 000005
【図４】
0003232326.tif 000006
【図５】
0003232326.tif 000007
【図６】
0003232326.tif 000008
【図７】
0003232326.tif 000009